(57)【特許請求の範囲】
【請求項１】
バッテリーの正極端子と負極端子に、正極用電源線の正極端子と負極用電源線の負極端子とが極性を合わせて接続されて、正極接続部と負極接続部とが構成されているバッテリーの電源線接続構造において，
前記バッテリーは電槽の蓋の上面にそれぞれの座部から立設されているボルト部によって構成されるバッテリー側正極端子とバッテリー側負極端子とを備え，
前記座部から立設するボルト部に嵌める嵌合孔がそれぞれあけられており、対応するバッテリー側の正極端子と負極端子に嵌合する電源線側正極端子と電源線側負極端子とを備え，
前記正負極用の座部のそれぞれの側面には向い合う面が相互に平行な少なくとも一対の平行側面がそれぞれ形成され、該正極用の座部には該座部の平行側面の中央部に係合突起が設けられ、負極用の座部には該座部の平行側面の中央部を避けた位置の対角線上に係合突起が設けられ，
前記電源線側正極端子にはバッテリー側正極端子に対応する前記座部の前記平行側面に嵌まる一対の正極用端子脚部が、前記電源線側負極端子にはバッテリー側負極端子に対応する前記座部の前記平行側面に嵌まる一対の負極用端子脚部がそれぞれ設けられ，
前記正極用端子脚部には、前記正極用の座部の平行側面の中央部に設けられる係合突起に係合する内向突起が設けられ、前記負極用端子脚部には、前記負極用の座部の平行側面の中央部を避けた位置の対角線上に設けられる係合突起に係合する内向突起が設けられていることを特徴とするバッテリーの電源線接続構造。
【請求項２】
バッテリーの正極端子と負極端子に、正極用電源線の正極端子と負極用電源線の負極端子とが極性を合わせて接続されて、正極接続部と負極接続部とが構成されているバッテリーの電源線接続構造において，
前記バッテリーは電槽の蓋の上面にそれぞれの座部から立設されているボルト部によって構成されるバッテリー側正極端子とバッテリー側負極端子とを備え，
前記座部から立設するボルト部に嵌める嵌合孔がそれぞれあけられており、対応するバッテリー側の正極端子と負極端子に嵌合する電源線側正極端子と電源線側負極端子とを備え，
前記正負極用の座部のそれぞれの側面には向い合う面が相互に平行な少なくとも一対の平行側面がそれぞれ形成され、該正極用の座部には該座部の平行側面の中央部に係合凹部が設けられ、負極用の座部には該座部の平行側面の中央部を避けた位置の対角線上に係合凹部が設けられ，
前記電源線側正極端子にはバッテリー側正極端子に対応する前記座部の前記平行側面に嵌まる一対の正極用端子脚部が、前記電源線側負極端子にはバッテリー側負極端子に対応する前記座部の前記平行側面に嵌まる一対の負極用端子脚部がそれぞれ設けられ，
前記正極用端子脚部には、前記正極用の座部の平行側面の中央部に設けられる係合凹部に嵌着係合する内向突起が設けられ、前記負極用端子脚部には、前記負極用の座部の平行側面の中央部を避けた位置の対角線上に設けられる係合凹部に嵌着係合する内向突起が設けられていることを特徴とするバッテリーの電源線接続構造。
【発明の詳細な説明】
【０００１】
【発明の属する技術分野】
本発明は、バッテリーの正極端子と負極端子に、正極用電源線の正極端子と負極用電源線の負極端子が極性を合わせて接続されて、正極接続部と負極接続部とが構成されているバッテリーの電源線接続構造に関する。
【０００２】
【従来の技術】
従来のこの種のバッテリーの電源線接続構造は、バッテリーの正極端子と負極端子とがそれぞれ端子座部に端子ボルト部を立設して構成され、これら正極端子と負極端子の各端子ボルト部に、極性を合わせて正極用電源線の正極端子と負極用電源線の負極端子をそれぞれの孔を利用して嵌め、しかる後に各端子ボルト部にナットを螺合して、正極接続部と負極接続部とを構成していた。
【０００３】
この種のバッテリーの電源線接続部では、正極用電源線と負極用電源線には負荷の正極と負極が極性を合わせて接続されているので、これら正極用電源線の正極端子と負極用電源線の負極端子とをバッテリーの正極端子と負極端子に接続する際には、極性を間違えないようにする必要がある。従来は、接続時に極性を間違えないようにするために、各端子側で色を違えたり、正，負の表示をつけたりしていた。
【０００４】
【発明が解決しようとする課題】
しかしながら、このようなバッテリーの電源線接続構造では、色の相違や正負の表示では、作業現場が暗かったりすると、その表示の確認が不十分となり、バッテリーの正極端子に負極用電源線の負極端子を接続し、バッテリーの負極端子に正極用電源線の正極端子を誤接続をしてしまう問題点があった。また、このような誤接続でも、機械的接続状態は普通と同じになるので、誤接続に気が付かない問題点があった。
【０００５】
さらに、従来のバッテリーの電源線接続構造では、ナットを回して締めるときに、電源線の端子も一緒に回ってしまい、ナットの締結の作業性が悪い問題点があった。また、ナットを回して締めるときに、電源線の引き出し方向も変わってしまう問題点があった。
【０００６】
本発明の目的は、極性を合わせた接続を確実に行えるバッテリーの電源線接続部を提供することにある。
本発明の他の目的は、接続時の作業性を向上させることができるバッテリーの電源線接続部を提供することにある。
本発明の他の目的は、電源線の引き出し方向を所定の方向に維持できるバッテリーの電源線接続部を提供することにある。
【０００７】
【課題を解決するための手段】
上記の課題を解決し、上記の目的を達成する本発明の構成を説明すると、請求項１に記載の発明は、バッテリーの正極端子と負極端子に、正極用電源線の正極端子と負極用電源線の負極端子とが極性を合わせて接続されて、正極接続部と負極接続部とが構成されているバッテリーの電源線接続構造において，
前記バッテリーは電槽の蓋の上面にそれぞれの座部から立設されているボルト部によって構成されるバッテリー側正極端子とバッテリー側負極端子とを備え，
前記座部から立設するボルト部に嵌める嵌合孔がそれぞれあけられており、対応するバッテリー側の正極端子と負極端子に嵌合する電源線側正極端子と電源線側負極端子とを備え，
前記正負極用の座部のそれぞれの側面には向い合う面が相互に平行な少なくとも一対の平行側面がそれぞれ形成され、該正極用の座部には該座部の平行側面の中央部に係合突起が設けられ、負極用の座部には該座部の平行側面の中央部を避けた位置の対角線上に係合突起が設けられ，
前記電源線側正極端子にはバッテリー側正極端子に対応する前記座部の前記平行側面に嵌まる一対の正極用端子脚部が、前記電源線側負極端子にはバッテリー側負極端子に対応する前記座部の前記平行側面に嵌まる一対の負極用端子脚部がそれぞれ設けられ，
前記正極用端子脚部には、前記正極用の座部の平行側面の中央部に設けられる係合突起に係合する内向突起が設けられ、前記負極用端子脚部には、前記負極用の座部の平行側面の中央部を避けた位置の対角線上に設けられる係合突起に係合する内向突起が設けられていることを特徴とする。
【０００８】
このようなバッテリーの電源線接続構造では、バッテリーの正極端子と負極端子に、正極用電源線の正極端子と負極用電源線の負極端子とが正常に接続されていると、各端子脚部の内向突起と端子座部の係合突起が係合されていて、電源線の端子を端子座部から離間させようとしても簡単には離間させることができない。正極用電源線の正極端子と負極用電源線の負極端子とがバッテリーの正極端子と負極端子に逆に接続されていると、電源線の端子を端子座部から離間させようとすると、抵抗無く簡単に離間してしまい、誤接続であることがわかり、接続をし直せばよい。このため本発明によれば、極性を合わせた接続を確実に行うことができる。
【０００９】
また、このバッテリーの電源線接続構造では、電源線の端子の各端子脚部がバッテリーの端子座部の１対の平行側面に嵌まっていて、ナットを回す際に電源線の端子が一緒に回らず回り止めされているので、作業性がよくなり、また電源線の引き出し方向も一定化させることができる。
さらに係合突起を一方の極性では端子座部の平行側面の各中央部にそれぞれ設け、他方の極性では端子座部の平行側面の各中央部を避けた位置の対角線上にそれぞれ設けているので、極性を違えて電源線の端子の各端子脚部をバッテリーの端子座部の一対の平行側面に嵌めた際には、相互の係合部が係合されず、誤接続を容易に判定することができる。
【００１０】
請求項２に記載の発明は、バッテリーの正極端子と負極端子に、正極用電源線の正極端子と負極用電源線の負極端子とが極性を合わせて接続されて、正極接続部と負極接続部とが構成されているバッテリーの電源線接続構造において，
前記バッテリーは電槽の蓋の上面にそれぞれの座部から立設されているボルト部によって構成されるバッテリー側正極端子とバッテリー側負極端子とを備え，
前記座部から立設するボルト部に嵌める嵌合孔がそれぞれあけられており、対応するバッテリー側の正極端子と負極端子に嵌合する電源線側正極端子と電源線側負極端子とを備え，
前記正負極用の座部のそれぞれの側面には向い合う面が相互に平行な少なくとも一対の平行側面がそれぞれ形成され、該正極用の座部には該座部の平行側面の中央部に係合凹部が設けられ、負極用の座部には該座部の平行側面の中央部を避けた位置の対角線上に係合凹部が設けられ，
前記電源線側正極端子にはバッテリー側正極端子に対応する前記座部の前記平行側面に嵌まる一対の正極用端子脚部が、前記電源線側負極端子にはバッテリー側負極端子に対応する前記座部の前記平行側面に嵌まる一対の負極用端子脚部がそれぞれ設けられ，
前記正極用端子脚部には、前記正極用の座部の平行側面の中央部に設けられる係合凹部に嵌着係合する内向突起が設けられ、前記負極用端子脚部には、前記負極用の座部の平行側面の中央部を避けた位置の対角線上に設けられる係合凹部に嵌着係合する内向突起が設けられていることを特徴とする。
【００１１】
このようなバッテリーの電源線接続構造では、バッテリーの正極端子と負極端子に、正極用電源線の正極端子と負極用電源線の負極端子とが正常に接続されていると、各端子脚部の内向突起と端子座部の係合凹部が係合されていて、電源線の端子を端子座部から離間させようとしても簡単には離間させることができない。正極用電源線の正極端子と負極用電源線の負極端子とがバッテリーの正極端子と負極端子に逆に接続されていると、電源線の端子を端子座部から離間させようとすると、抵抗無く簡単に離間してしまい、誤接続であることがわかり、接続をし直せばよい。このため本発明によれば、極性を合わせた接続を確実に行うことができる。
また、このバッテリーの電源線接続構造では、電源線の端子の各端子脚部がバッテリーの端子座部の一対の平行側面に嵌まっていて、ナットを回す際に電源線の端子が一緒に回らず回り止めされているので、作業性がよくなり、また電源線の引き出し方向も一定化させることができる。
さらに、係合凹部を一方の極性では端子座部の平行側面の各中央部にそれぞれ設け、他方の極性では端子座部の平行側面の各中央部を避けた位置の対角線上にそれぞれ設けているので、極性を違えて電源線の端子の各端子脚部をバッテリーの端子座部の一対の平行側面に嵌めた際には、相互の係合部が係合されず、誤接続を容易に判定することができる。
【００１２】
【発明の実施の形態】
図１〜図３（Ａ）（Ｂ）は本発明に係るバッテリーの電源線接続構造における実施の形態の第１例を示したもので、図１は本例のバッテリーの電源線接続構造の分解斜視図、図２（Ａ）（Ｂ）は本例でのバッテリーの端子に対する電源線の端子の接続過程を示す縦断面図、図３（Ａ）（Ｂ）は本例でのバッテリーの双方の端子を示す平面図である。
【００１３】
本例のバッテリーの電源線接続部においては、バッテリー１は電槽の蓋２の上面に正極端子４と負極端子５とが設けられている。これら正極端子４と負極端子５は、それぞれ端子座部６，７とこれらの端子座部６，７から立設されている端子ボルト部８，９とで構成されている。
【００１４】
これら正極端子４と負極端子５に接続される正極用電源線１０と負極用電源線１１は、それぞれ導体の外周に絶縁被覆が被覆された構造のものであって、これら正極用電源線１０と負極用電源線１１の先端の導体には、正極端子１２と負極端子１３とが極性を合わせて圧着部１２ａ，１３ａで圧着接続されている。正極端子１２と負極端子１３とには、対応する端子ボルト部８，９に嵌める嵌合孔１４，１５がそれぞれあけられている。
【００１５】
バッテリー１の正極端子４と負極端子５の各端子座部６，７の側面には、向い合う面が相互に平行な少なくとも１対の平行側面６ａ，６ａと７ａ，７ａがそれぞれ設けられている。
【００１６】
正極用電源線１０の正極端子１２と負極用電源線１１の負極端子１３には、対応する端子座部６，７の各平行側面６ａ，６ａと７ａ，７ａに嵌まる１対の端子脚部１２ｂ，１２ｂと１３ｂ，１３ｂがそれぞれ設けられている。
【００１７】
正極用電源線１０の正極端子１２と負極用電源線１１の負極端子１３におけるそれぞれ１対の弾性を有する端子脚部１２ｂ，１２ｂと１３ｂ，１３ｂと、バッテリー１の正極端子４と負極端子５の各端子座部６，７のそれぞれ１対の平行側面６ａ，６ａと７ａ，７ａには、極性毎に位置が異なる係合部１６，１６，１７，１７と１８，１８，１９，１９とが設けられている。本例では、係合部１８，１８は一方の極性である例えば正極端子４の端子座部６における平行側面６ａ，６ａの各中央部に図３（Ａ）に示すようにそれぞれ突起として設けられ、これら係合部１８，１８に対応して正極用電源線１０の正極端子１２の端子脚部１２ｂ，１２ｂが設けられ、これら端子脚部１２ｂ，１２ｂに係合部１６，１６が内向きの突起として設けられ、これら突起よりなる係合部１６，１６が端子座部６の突起よりなる係合部１８，１８の下面に係止されるようになっている。また、係合部１９，１９は一方の極性である例えば負極端子５の端子座部７における平行側面７ａ，７ａの各中央部を避けた位置の対角線上に図３（Ｂ）に示すようにそれぞれ突起として設けられ、これら係合部１９，１９に対応して負極用電源線１１の負極端子１３の端子脚部１３ｂ，１３ｂが設けられ、これら端子脚部１３ｂ，１３ｂに係合部１７，１７が内向きの突起として設けられ、これら突起よりなる係合部１７，１７が端子座部７の突起よりなる係合部１９，１９の下面に係止されるようになっている。
【００１８】
このように正極用電源線１０の正極端子１２と負極用電源線１１の負極端子１３が、バッテリー１の正極端子４と負極端子５の各端子座部６，７に係合部１６，１６，１７，１７と１８，１８，１９，１９で係止された状態で、端子ボルト部８，９にはナット２０，２１が螺合されて、これらナット２０，２１による締め付けで正極用電源線１０の正極端子１２と負極用電源線１１の負極端子１３がバッテリー１の正極端子４と負極端子５の各端子座部６，７に固定されるようになっている。
【００１９】
このようなバッテリーへの電源線接続構造では、バッテリー１の正極端子４と負極端子５に、正極用電源線１０の正極端子１２と負極用電源線１１の負極端子１３とが正常に接続されていると、各端子脚部１２ｂ，１２ｂと１３ｂ，１３ｂの係合部１６，１６と１７，１７と端子座部６，７の係合部１８，１８，１９，１９が係合されていて、正・負極用電源線１０，１１の正・負極端子１２，１３を端子座部６，７から離間させようとしても簡単には離間させることができない。正極用電源線１０の正極端子１２と負極用電源線１１の負極端子１３とがバッテリー１の正極端子４と負極端子５に逆に接続されていると、正・負極用電源線１０，１１の正・負極端子１２，１３を端子座部６，７から離間させようとしたとき、抵抗無く簡単に離間してしまい、誤接続であることがわかり、接続をし直せばよい。このため本発明によれば、極性を合わせた接続を確実に行うことができる。
【００２０】
また、このバッテリーの電源線接続構造では、正・負極用電源線１０，１１の正・負極端子１２，１３の各端子脚部１２ｂ，１３ｂがバッテリー１の端子座部６，７の１対の平行側面６ａ，６ａと７ａ，７ａに嵌まっていて、ナット２０，２１を回す際に正・負極用電源線１０，１１の正・負極端子１２，１３が一緒に回らず回り止めされているので、作業性がよくなり、また正・負極用電源線１０，１１の引き出し方向も一定化させることができる。
【００２１】
また、係合部１６，１６，１７，１７と１８，１８，１９，１９は、一方の極性では端子座部６の平行側面６ａ，６ａの各中央部にそれぞれ設け、他方の極性では端子座部７の平行側面７ａ，７ａの各中央部を避けた位置の対角線上にそれぞれ設けているので、極性を違えて正・負極用電源線１０，１１の正・負極端子１２，１３の各端子脚部１２ｂ，１２ｂと１３ｂ，１３ｂをバッテリー１の端子座部６，７の１対の平行側面６ａ，６ａと１７ａ，７ａに嵌めた際には、相互の係合部が係合されず、誤接続を容易に判定することができる。
【００２２】
図４は本発明に係るバッテリーの電源線接続構造における実施の形態の第２例を示したバッテリーの端子に対する電源線の端子の接続過程を示す縦断面図である。
【００２３】
本例では、バッテリー１の端子座部６の平行側面６ａ，６ａに設ける係合部１８ａ，１８ａが凹部で形成され、この凹部よりなる係合部１８ａ，１８ａに正極用電源線１０の正極端子１２に設けられている端子脚部１２ｂ，１２ｂの係合部１６，１６が嵌め込まれて係止されるようになっている。この第２例では、負極側も同様の構成になっている。このような第２例でも、第１例と同様の効果を得ることができる。
【００２４】
【発明の効果】
請求項１に記載のバッテリーの電源線接続構造では、バッテリーの正極端子と負極端子に、正極用電源線の正極端子と負極用電源線の負極端子とが正常に接続されていると、各端子脚部の内向突起と端子座部の係合突起が係合されていて、電源線の端子を端子座部から離間させようとしても簡単には離間させることができず、正極用電源線の正極端子と負極用電源線の負極端子とがバッテリーの正極端子と負極端子に逆に接続されていると、電源線の端子を端子座部から離間させようとすると、抵抗無く簡単に離間してしまい、誤接続であることがわかり、接続をし直せば極性を合わせた接続を確実に行うことができる。
【００２５】
また、このバッテリーの電源線接続構造では、電源線の端子の各端子脚部がバッテリーの端子座部の一対の平行側面に嵌まっていて、ナットを回す際に電源線の端子が一緒に回らず回り止めされているので、作業性がよくなり、また電源線の引き出し方向も一定化させることができる。
さらに係合突起を一方の極性では端子座部の平行側面の各中央部にそれぞれ設け、他方の極性では端子座部の平行側面の各中央部を避けた位置の対角線上にそれぞれ設けているので、極性を違えて電源線の端子の各端子脚部をバッテリーの端子座部の一対の平行側面に嵌めた際には、相互の係合部が係合されず、誤接続を容易に判定することができる。
【００２６】
請求項２に記載のバッテリーの電源線接続構造では、バッテリーの正極端子と負極端子に、正極用電源線の正極端子と負極用電源線の負極端子とが正常に接続されていると、各端子脚部の内向突起と端子座部の係合凹部が係合されていて、電源線の端子を端子座部から離間させようとしても簡単には離間させることができない。正極用電源線の正極端子と負極用電源線の負極端子とがバッテリーの正極端子と負極端子に逆に接続されていると、電源線の端子を端子座部から離間させようとすると、抵抗無く簡単に離間してしまい、誤接続であることがわかり、接続をし直せばよい。このため本発明によれば、極性を合わせた接続を確実に行うことができる。
また、このバッテリーの電源線接続構造では、電源線の端子の各端子脚部がバッテリーの端子座部の一対の平行側面に嵌まっていて、ナットを回す際に電源線の端子が一緒に回らず回り止めされているので、作業性がよくなり、また電源線の引き出し方向も一定化させることができる。
さらに、係合凹部を一方の極性では端子座部の平行側面の各中央部にそれぞれ設け、他方の極性では端子座部の平行側面の各中央部を避けた位置の対角線上にそれぞれ設けているので、極性を違えて電源線の端子の各端子脚部をバッテリーの端子座部の一対の平行側面に嵌めた際には、相互の係合部が係合されず、誤接続を容易に判定することができる。
【図面の簡単な説明】
【図１】本発明に係るバッテリーの電源線接続構造における実施の形態の第１例を示した分解斜視図である。
【図２】（Ａ）（Ｂ）は本例でのバッテリーの端子に対する電源線の端子の接続過程を示す縦断面図である。
【図３】（Ａ）（Ｂ）は本例でのバッテリーの双方の端子を示す平面図である。
【図４】本発明に係るバッテリーの電源線接続構造における実施の形態の第２例を示す縦断面図である。
【符号の説明】
１  バッテリー
２  電槽の蓋
４  正極端子
５  負極端子
６，７  端子座部
８，９  端子ボルト部
６ａ，７ａ  平行側面
１０  正極用電源線
１１  負極用電源線
１２  正極端子
１３  負極端子
１２ａ，１３ａ  圧着部
１２ｂ，１３ｂ  端子脚部
１４，１５  嵌合孔
１６〜１９  係合部
１８ａ  係合部
２０，２１  ナット
【図１】
0003696454.tif 000002
【図２】
0003696454.tif 000003
【図３】
0003696454.tif 000004
【図４】
0003696454.tif 000005